(57)【要約】海底ケーブルネットワークのネットワーク管理を提供するためのアプローチ。回線終端装置（１０３，１０７）は海底ケーブルネットワークの複数の物理的接続をモニタする。ネットワーク管理モジュールは回線終端装置あるいはネットワーク管理システムからの警報信号を選択的に受信し、受信した警報信号に基づいて海底ケーブルネットワークを設定変更する。この発明のある実施例に従うと、海底ケーブルネットワークは、高密度波分割多重（ＤＷＤＭ）システムである。
2005502234.tif 000002
【特許請求の範囲】
【請求項１】
海底ケーブルネットワークのネットワーク管理を提供するための方法であって、方法は、
第一回線終端装置と第二回線終端装置との間の複数の物理的接続をモニタするステップと、
第一回線終端装置と第二回線終端装置の少なくとも一つから警報信号を選択的に受信するステップと、
受信ステップに基づいて、海底ケーブルネットワークを設定変更するステップを含む、方法。
【請求項２】
設定変更ステップはサービスの複数のクラスに従って、サービスを回復するよう実行される、請求項１に記載の方法。
【請求項３】
設定変更ステップは海底ケーブルネットワーク上にサービスを提供するように実行される、請求項１に記載の方法。
【請求項４】
バイナリー警報インターフェイスを使用して、第一回線終端装置および第二回線終端装置とインターフェイスするステップをさらに含む、請求項１に記載の方法。
【請求項５】
警報信号を受信し、設定変更するステップは、ネットワーク管理モジュールによって実行される、請求項１に記載の方法。
【請求項６】
ネットワーク管理モジュールは、第一回線終端装置と第二回線終端装置の少なくとも一つの内に存在する、請求項５に記載の方法。
【請求項７】
ネットワーク管理モジュールは、切り換えシステム内に存在する、請求項５に記載の方法。
【請求項８】
設定変更ステップは、海底ケーブルネットワークの回復を提供するために実行され、設定変更ステップは、
受信した警報信号に基づいて、複数の物理的接続の一つに故障を検出するステップと、
回復情報を検索するステップと、
回復情報に基づいて、ある物理的接続のトラフィックを複数の物理的接続の別の接続へ経路変更するステップを含む、請求項１に記載の方法。
【請求項９】
顧客の容量要求を含むプロビジョニングデータを受信するステップと、容量要求に基づいて海底ケーブルネットワークを設定変更するステップをさらに含む、請求項１に記載の方法。
【請求項１０】
海底ケーブルネットワークのネットワーク管理を提供するための通信システムであって、システムは、
海底ケーブルネットワークの複数の物理的接続をモニタするよう設定されている回線終端装置と、
回線終端装置から警報信号を選択的に受信し、受信した警報信号に基づいて、海底ケーブルネットワークを設定変更するよう設定されている、ネットワーク管理モジュールを含む、通信システム。
【請求項１１】
回復情報を格納するよう設定されたデータベースをさらに含み、ネットワーク管理モジュールは、複数のサービスのクラスと格納された回復情報に従って、回復サービスを提供するために海底ケーブルネットワークを設定変更する、請求項１０に記載のシステム。
【請求項１２】
ネットワーク管理モジュールは、海底ケーブルネットワーク上にサービスを供給するために、海底ケーブルネットワークを設定変更する、請求項１０に記載のシステム。
【請求項１３】
海底ケーブルネットワークからトラフィックを転送かつ受信するよう設定されている切り換えシステムと、
切り換えシステムに接続され、回線終端装置から警報信号を除去するよう設定されているバイナリーインターフェイスをさらに含み、バイナリーインターフェイスは警報信号をネットワーク管理モジュールに転送する、請求項１０に記載のシステム。
【請求項１４】
ネットワーク管理モジュールは切り換えシステム内に常駐する、請求項１３に記載のシステム。
【請求項１５】
ネットワーク管理モジュールは回線終端装置内に常駐する、請求項１３に記載のシステム。
【請求項１６】
ネットワーク管理モジュールは、複数の物理的接続の一つのトラフィックを物理的接続の別の接続に経路変更するために、受信した警報信号に基づいて、複数の物理的接続の一つの上に故障を検出するようさらに設定されている、請求項１０に記載のシステム。
【請求項１７】
ネットワーク管理モジュールは、顧客の容量要求を含むプロビジョニングデータを受信し、容量要求に基づいて海底ケーブルネットワークを設定変更するようさらに設定されている、請求項１０に記載のシステム。
【請求項１８】
海底ケーブルネットワークのネットワーク管理を提供するための一以上の命令の一以上の連続を保持するコンピュータ読み出し可能媒体であって、一以上のプロセッサによって実行されるとき、命令を含む一以上の命令の一以上の連続は、一以上のプロセッサに、
第一回線終端装置と第二回線終端装置との間の複数の物理的接続をモニタするステップと、
第一回線終端装置と第二回線終端装置の少なくとも一つから警報信号を選択的に受信するステップと、
受信ステップに基づいて海底ケーブルネットワークを設定変更するステップを実行させる、コンピュータ読み出し可能媒体。
【請求項１９】
設定変更ステップは、複数のサービスの分類に従って、サービスを回復するよう実行される、請求項１８に記載のコンピュータ読み出し可能媒体。
【請求項２０】
回復ステップは、海底ケーブルネットワーク上にサービスを供給するよう実行される、請求項１８に記載のコンピュータ読み出し可能媒体。
【請求項２１】
一以上のプロセッサはさらに、
バイナリー警報インターフェイスを使用して、第一回線終端装置および第二回線終端装置とインターフェイスするステップをさらに実行する、請求項１８に記載のコンピュータ読み出し可能媒体。
【請求項２２】
警報信号を受信し設定変更するステップは、ネットワーク管理モジュールによって実行される、請求項１８に記載のコンピュータ読み出し可能媒体。
【請求項２３】
ネットワーク管理モジュールは、第一回線終端装置と第二回線終端装置の少なくとも一つの内に常駐する、請求項２２に記載のコンピュータ読み出し可能媒体。
【請求項２４】
ネットワーク管理モジュールは、切り換えシステム内に常駐する、請求項２２に記載のコンピュータ読み出し可能媒体。
【請求項２５】
設定変更ステップは海底ケーブルネットワークの回復を提供するよう実行され、設定変更ステップは、
受信した警報信号に基づいて複数の物理的接続の一つに故障を検出するステップと、
回復情報を検索するステップと、
回復情報に基づいて、複数の物理的接続の一つの物理的接続のトラフィックを別の物理接続に経路変更するステップを含む、請求項１８に記載のコンピュータ読み出し可能媒体。
【請求項２６】
一以上のプロセッサはさらに、
顧客の容量要求を含むプロビジョニングデータを受信するステップと、
容量要求に基づいて海底ケーブルネットワークを設定変更するステップをさらに実行する、請求項１８に記載のコンピュータ読み出し可能媒体。
【請求項２７】
海底ケーブルネットワークのネットワーク管理を提供するための通信システムであって、システムは、
海底ケーブルネットワークの複数の物理的接続をモニタするための手段と、
モニタ手段から警報信号を選択的に受信するための手段と、
受信した警報信号に基づいて海底ケーブルネットワークを設定変更するための手段を含む、通信システム。
【請求項２８】
複数のサービスのクラスに従って、設定変更手段は海底ケーブルネットワークのサービスを回復する、請求項２７に記載のシステム。
【請求項２９】
設定変更手段は海底ケーブルネットワーク上のサービスのプロビジョニングを提供する、請求項２７に記載のシステム。
【発明の詳細な説明】
【発明の背景】
【０００１】
【発明の分野】
【０００２】
［０１］  この発明は通信システムに関し、特に、電気通信サービスおよびネットワークをサポートするためのネットワーク回復アーキテクチャに関する。
【背景議論】
【０００３】
［０２］  海底ケーブルネットワークは、地理的に分散されたサイトを結合するための実行可能な解決策を提供し続ける。図４は３つの異なるノードのセットで終了する３つの異なるケーブル上で、大陸ＡとＢを共に接続する典型的な海底ケーブルネットワークを示す。従来、ケーブル４０１，４０３および４０５は異なるサービスプロバイダによって操作されているが、それは部分的に、主としてケーブル配備の費用が原因である。典型的な海底ケーブルネットワークの構造では、容量は加入者（すなわち顧客）の要求を満たすために、ケーブルを所有するこれらの異なるサービスプロバイダの間で通常共有されている。
【０００４】
［０３］  それ故、従来の海底ケーブル構造は、これらの異なるサービスプロバイダが、集合的なネットワークを管理するために実行可能な機構を有していないため、多くのネットワーク保護を提供しない。サービスプロバイダのネットワークの地上部分は最高で９９．９９９％の利用可能性を提供するかもしれないが、深水ケーブル切断の弱点、および関連の長いＭＴＴＲ（平均修復時間，Mean Time to Repair）のために全般的な利用可能性は大幅に削減されるかもしれないことに注意すべきである。例えばＩＰ（インターネットプロトコル）トラフィックにおける予測された成長と共に、国際的なトラフィックにおける急成長が期待される。割増サービスに対する利用可能な要求が、ますます増加し求められている。
【０００５】
［０４］  ケーブル４０１，４０３および４０５に関するサービスプロバイダのネットワーク管理の制約条件の見地からすれば、これらのサービスプロバイダはサービス品質保証制度（ＳＬＡ）の多様な範囲を提供する点においてほとんど柔軟性を有していない。例えば、ケーブル４０１のサービスプロバイダが、ケーブル４０１の容量を越える最高のトラフィックレベルを経験すれば、このサービスプロバイダは、これらの他のサービスプロバイダのトラフィックの負荷次第で、他の二つのサービスプロバイダにオーバフロートラフィックを転換してもしなくてもよい。さらに、単一点の故障に対する影響の受けやすさのために、ケーブル４０１のサービスプロバイダが多数の異なるＳＬＡのタイプを提供することを妨げるかもしれない。
【０００６】
［０５］  上記に基づいて、海底システムにおいてネットワーク回復およびプロビジョニングサービスを提供するための改良されたアプローチに対する明白なニーズが存在する。
【０００７】
［０６］  海底ケーブルを利用するシステムにおいて、ネットワークの利用可能性を高めるためのニーズも存在する。
【０００８】
［０７］  多様なサービス品質保証制度を提供するために、海底システムにおいて、ネットワーク管理機能を増加するためのさらなるニーズが存在する。
【０００９】
［０８］  ネットワークの利用可能性を高めるためのニーズに基づいて、海底ケーブルネットワークにおけるネットワーク保護機構を実行するためのアプローチが大いに求められる。
【発明の要約】
【００１０】
［０９］  この発明は、海底ネットワーク上での、サービスの回復およびプロビジョン能力を提供することによって、上記のニーズに対処する。海底ネットワークは多数の異なるネットワークトポロジーを示してもよく、海底ケーブルの各端で終了するノードを利用する。ノードは警報のために海底ケーブルをモニタする終端装置を含む。警報は終端装置内のバイナリーインターフェイスによって取り除かれ、ネットワーク管理モジュールあるいはシステムに送信され、ネットワーク管理モジュールあるいはシステムは、順に適切な回復あるいはプロビジョニング計画を検索するようスイッチに指示する。回復は一連の予めプログラムされた命令を介して自動的に実行される。回復はファイバストランドごと、あるいはファイバケーブルごとに実行されてもよい。さらに、ネットワーク管理モジュールはプロビジョニングサービスを提供するために、海底ネットワークの容量を管理する。
【００１１】
［１０］  この発明のある局面に従って、海底ケーブルネットワークのネットワーク管理を提供するための方法が提供される。方法は、第一回線終端装置と第二回線終端装置との間の複数の物理的接続をモニタすることを含む。方法はまた第一回線終端装置および第二回線終端装置の少なくとも一つから、警報信号を選択的に受信することをも含む。さらに、方法は受信ステップに基づいて、海底ケーブルネットワークの設定変更を含む。このアプローチの下で、海底ネットワークの利用可能性は高められる。
【００１２】
［１１］  この発明の別の局面に従って、海底ケーブルネットワークのネットワーク管理を提供するための通信システムは、海底ケーブルネットワークの複数の物理的接続をモニタするよう設定されている回線終端装置を含む。ネットワーク管理モジュールは回線終端装置から警報信号を選択的に受信し、受信した警報信号に基づいて海底ケーブルネットワークを設定変更するよう設定されている。上の取り決めは海底ネットワークの物理的接続に関するネットワーク故障の場合には、サービスの有効な回復を有利に提供する。
【００１３】
［１２］  この発明の別の局面において、海底ケーブルネットワークのネットワーク管理を提供するための、一以上の命令の一以上の連続を保持するコンピュータ読み出し可能媒体が提供される。一以上のプロセッサによって実行されるとき、一以上の命令の一以上の連続は、一以上のプロセッサに、第一回線終端装置と第二回線終端装置との間の複数の物理的接続をモニタするステップを実行させる。別のステップは第一回線終端装置と第二回線終端装置の少なくとも一つから、警報信号を選択的に受信することを含む。さらに別のステップは、受信ステップに基づいて、海底ケーブルネットワークの設定変更を含む。このアプローチは海底ケーブルを利用するネットワークにおいて、プロビジョニングサービスの有効性を有利に高める。
【００１４】
［１３］  この発明のさらに別の局面において、海底ケーブルネットワークのネットワーク管理を提供するための通信システムは、海底ケーブルネットワークの複数の物理的接続をモニタするための手段を含む。システムはまたモニタ手段から警報信号を選択的に受信するための手段と、受信した警報信号に基づいて海底ケーブルネットワークを設定変更するための手段も含む。このアプローチの下で、サービス品質保証制度は確実にされ得る。
【好ましい実施例の説明】
【００１５】
［１９］  以下の説明において、説明する目的で、特定の詳細がこの発明の完全な理解を提供するために述べられる。しかしながら、この発明はこれらの特定の詳細なしで実行されてもよいことは明白である。幾つかの例において、公知の構造および装置は、この発明を不必要に不明瞭しないために、ブロック図の様式で描写される。
【００１６】
［２０］  この発明は、ネットワークの故障の場合にサービスを回復するために、そしてサービスのプロビジョニングを実行するために、海底ネットワークの設定変更を成し遂げる。電気通信ノードは、海底ケーブルネットワークの物理的接続をモニタする回線終端装置を含む。システムは、ネットワークの故障を検出するために、ネットワーク管理インターフェイスと同様に、バイナリーインターフェイスを利用する。それによって故障がバイナリーインターフェイスによって検出されなければ、ネットワーク管理インターフェイスは、ネットワーク回復のきっかけとなる別の機構を提供する。この発明は光ネットワークと関連して議論されているが、当業者にはこの発明が一般に通信ネットワークに対して適応可能であることが認識される。
【００１７】
［２１］  図１Ａは、この発明の実施例に従う、ネットワークの設定変更を実行することのできる海底ケーブルネットワークを示す。大陸間のケーブル線の配備の費用は、費用面で減らされていることが認識される。従って通信業者は、既存のケーブルの動作容量に対して共有の保護リンクを提供するために、新しいケーブルを構築してもよい。図１Ａに示されているように、たとえば、大陸Ａに存在する、スイッチシステム１０１は、プロビジョニング、保護および回復を提供するために、海底回線終端装置（ＳＬＴＥ）１０３あるいはＳＬＴＥのバンクを海底ケーブルネットワーク１０５の専用ケーブルと接続するために使用される。海底ケーブルネットワーク１０５は、トポロジーの任意の数を現してもよい。この発明のある実施例に従って、海底ケーブルネットワーク１０５は多数の電気通信ノード（そこでは、説明の目的で、一つのノードのみが海底ケーブルネットワーク１０５の各端で示されている）を接続する網目状ネットワークである。さらに、模範的な実施例において、スイッチシステム１０１はＳＴＳ（同期送信信号）（ＳＴＭ［同期送信モジュール］）−Ｎ（Ｍ）（Ｎ＞＝４８，Ｍ＞＝１６）で切り換える電気切り換え構造を提供する。
【００１８】
［２２］  代わりに、この発明の別の実施例は、ビット速度、プロトコルおよびＤＷＤＭ（高密度波長分割多重）ファイバの波長における光信号の様式にとってトランスペアレントな全光切り換え構造を供給する。そのような実施において、ＳＬＴＥ１０３および１０７は、海底ケーブルネットワーク１０５上で異なる周波数を有する多数の光ファイバ搬送波を多重化するための高密度波長分割多重器のような、ＤＷＤＭ装置を利用する。海底ケーブルネットワーク１０５の広範囲の遠距離間で、光増幅器（図示のない）および／または光再生器（図示のない）のような信号拡大装置は、適切な信号の強度を維持するために使用される。ＳＬＴＥ１０３および１０７は、海底ケーブルネットワーク１０５上で光信号を送信するために、光送信器および受信器（図示のない）を含む。光信号は一つの物理的光ケーブル内および／または多様な光ケーブルの異なるファイバ上で、送信されてもよい。
【００１９】
［２３］  海底ケーブルネットワーク１０５は、ＳＬＴＥ１０３を大陸Ｂ内の別のＳＬＴＥ１０７（あるいはＳＬＴＥのバンク）に接続する。ＳＬＴＥ１０７はスイッチシステム１０９に接続する。海底ケーブルネットワーク１０５の各着陸ステーション（ノード）で、スイッチシステム（例えば１０１および１０９）とＳＬＴＥ（例えば１０３および１０７）の間のバイナリーインターフェイス（例えば１１１および１１３）は、ネットワーク故障に関連する警報情報を通信する。さらに、ＳＯＮＥＴ（同期光ネットワーク）ＳＴＭ−Ｎインターフェイス（例えば１１２および１１４）は、警報情報を提供するためにＳＴＭ−Ｎ信号を送信する。
【００２０】
［２４］  ここで使用されているように、用語「バイナリーインターフェイス」は一般に警報および状態情報（装置の誤作動、信号の悪化などのような）を、あるネットワーク要素から他へ直接通信するための手段を言い、ＳＯＮＥＴ  ＳＴＭ−Ｎインターフェイス１１２に沿うような、トラフィック搬送信号のオーバーヘッドにそのような情報を埋め込むことに対抗するものである。特に、誤差許容コード計画のような他の信頼性のある手段が、バイナリーインターフェイス１１１，１１３に適用されるときは、バイナリーインターフェイスは、警報および状態情報のより即時に信頼できる通信を提供してもよい。バイナリーインターフェイス１１１，１１３は通常の組み込みインターフェイス（例えばマイクロ秒対ミリセカンドのオーダ）よりも速い応答時間を与える。バイナリーインターフェイス１１１，１１３は順にスイッチシステムコントローラへ送信し、組み込み信号が故障を分析し、メッセージをスイッチシステムコントローラに送信する（分析時間により遅れる）よりも、スイッチシステムコントローラが故障を分析し、データベース１２７，１３１のルックアップテーブルを参照する。スイッチシステム１０１，１０９はとにかく根本の原因分析（故障状態）を実行しなければならないので、組み込み分析は余計なイベントである。
【００２１】
［２５］  バイナリーインターフェイス１１１，１１３の利点が与えられると、この発明のある実施例に従うシステム１０１の保護スイッチあるいは回復機構は、そのようなシステムは信号オーバーヘッドバイト、およびネットワーク管理システムを介した通信にも応答してもよいが、バイナリーインターフェイス１１１，１１３からの直接の提示にまず頼る。
【００２２】
［２６］  この発明のある実施例に従って、ネットワーク管理モジュールは回線終端装置から警報信号を受信し、受信した警報信号に基づいて海底ケーブルネットワークを設定変更する。大陸Ａ内のノードで、スイッチシステム１０１は、ネットワーク管理システム（ＮＭＳ）１１７に対するネットワーク管理インターフェイス１１５および１１９を含む。同様に、大陸Ｂのノードはネットワーク管理インターフェイス１２１，１２３を利用する。模範的な実施例において、警報情報は以下のソースの優先順位に基づいて抽出される。バイナリーインターフェイス１１１および１１３、ＳＴＭ−Ｎインターフェイス１１２および１１４、ＮＭインターフェイス１１５，１１９，１２１および１２３である。上の優先順位は速度に基づく。相対的に言うと、速度によって警報情報はバイナリーインターフェイス１１１と１１３で最速で得られ、ＮＭインターフェイス１１５，１１９，１２１そして１２３で最も遅く得られる。例えば、もしバイナリーインターフェイス１１１，１１３、あるいはＳＴＭ−Ｎインターフェイス１１２，１１４が、予め規定された故障状態に基づいて、故障を検出することに失敗すると、ネットワーク管理（ＮＭ）インターフェイス（例えば１１５，１１９，１２１および１２３）はそれから頼りにされ、任意の必要な回復手順のきっかけとなる。
【００２３】
［２７］  ＮＭＳ１１７は別のシステムとして示されているが、代わりの実施例において、ＮＭＳ１１７はスイッチシステム１０１と関連するネットワーク管理モジュールであってもよいことに注意すべきである。ＳＬＴＥ１０３はまた別のＮＭインターフェイス１１９を介してＮＭＳ１１７と通信する。同様の設定が大陸Ｂのノードに対して使用される。ＳＬＴＥ１０７とスイッチシステム１０９はＮＭＳ１２５に対してＮＭインターフェイス１２１および１２３を所有する。
【００２４】
［２８］  ＮＭＳ１１７および１２５は、海底ケーブルネットワーク１０５の設定変更を調整するために、海底ケーブルネットワーク１０５上のグローバルな管理のための論理接続（すなわちコントローラ）ネットワークを形成する。スイッチシステム１０１および１０９は、例えば予めプログラムされた回復計画付きのルックアップ状態テーブルに基づいて、回復イベントのきっかけとなるために各ＳＬＴＥ１０３および１０７からの警報情報を使用する。模範的な実施例において、これらの状態テーブルは、スイッチシステム１０１および１０９にそれぞれ接続されているデータベース１２７および１３１内に格納される。データベース１２７および１３１は、警報に従って予め規定された活動のきっかけとなるルックアップテーブルを格納する。この発明のある実施例に従って、ルックアップテーブルは回復計画を特定する。さらに、あるいは代わりに、ルックアップテーブルは、海底ケーブルネットワーク１０５に関連するサービスのプロビジョニングに関する活動を誘発する。
【００２５】
［２９］  選択される回復計画は、影響された異なる信号のサービス分類に基づいて最適化され得る。特に、これらの回復計画は、サービスプロバイダとその顧客との間で実行されるようなサービス品質保証制度（ＳＬＡ）に基づいて、プログラムされ得る。例えば、ＳＬＡパラメータは予めコンピュータ化され、それによって優先順位をつけられ、故障の発生に基づいて、高い優先順位のＳＬＡに対応するこれらのリンクは、低い優先順位のＳＬＡより前に回復される。プログラムされた回復計画は、海底の、地上のおよび／またはフェストーン（festoon)の地理的ネットワークの組み合わせに応じた、異なる回復時間を有する、１＋１、１：１、１：Ｎ（Ｎ＞＝２）、Ｎ：Ｎ、Ｎ：Ｍ、リング、メッシュを含んでもよい。模範的な網目状の光ネットワークは、「リング／メッシュ光ネットワーク」というタイトルの、米国特許第６，０３８，０４４号（フィーら）でさらに詳述され、ここにそっくり組み込まれる。
【００２６】
［３０］  ＮＭＳ１１７および１２５はまた、顧客の追加の容量の要求に対応するために、海底ケーブルネットワーク１０５を設定変更することで、サービスの供給を提供してもよい。例えば、海底ケーブルネットワーク１０５と関連するサービスプロバイダは、多様な要求のセットで各種顧客に容量を販売してもよい。これらの顧客要求は、低い優先順位のトラフィックから必須のデータにまで及んでもよい。従って、サービスプロバイダは別個に各顧客とサービスの品質保証制度について交渉してもよい。これらのＳＬＡを遂げるために、海底ケーブルネットワーク１０５の運用支援システム（図示のない）からのプロビジョニングデータは、ＮＭＳ１１７に供給される。プロビジョニングデータは顧客の個々の容量要求を特定する情報を含んでもよい。
【００２７】
［３１］  図１Ｂは、ケーブル切断の結果、この発明の実施例に従って、ネットワークの設定変更を提供する海底ケーブルネットワークを示す。スイッチ１５１は光学式でも電気式でもよく、ＳＬＴＥ１５３および１５５に接続されている。ＳＬＴＥ１５３は多重チャネル（すなわちルータ）をサポートするケーブル１５９を介して、ＳＬＴＥ１５７と通信する。この例では、ケーブル１５９は多数の動作チャネル（ｗ１，ｗ２およびｗ３）および保護チャネル（ｐｉ）を提供する。ＳＬＴＥ１５７はスイッチ１５３に対応して光学式でも電気式でもよい別のスイッチ１６１で終了する。スイッチ１６１はまたケーブル１６５上でＳＬＴＥ１５５に接続する別のＳＬＴＥ１６３にも接続され、ケーブル１６５は動作チャネル（ｗ１，ｗ２およびｗ３）および保護チャネル（ｐｎ）を提供する。
【００２８】
［３２］  図１Ｂの例に見られるように、ケーブル切断はケーブル１５９上で発生し、ＳＬＴＥ１５３とＳＬＴＥ１５７の間の通信を中断させる。この点で、スイッチ１５１はケーブル１５９のｗ１ルートによって最初は伝搬されたトラフィックを、ケーブル１６５の保護ルートｐｎに経路変更するよう指示される。この回復手順の結果、回復操作の持続に対する実際のＳＬＡは、もしサービスの中断が動作チャネルｗ１，ｗ２およびｗ３上のトラフィックをサポートするために、保護ルートＰｎの使用を要求するケーブル１５９で発生すれば、保護ルートが予め空にされてもよいという点で異なる。上の設定が与えられると、海底ケーブルネットワークは、多重に多様化されたルート制御ケーブル（例えばファイバ）を使用して、回復および保護のリング、メッシュ、あるいは別のタイプを提供できる。
【００２９】
［３３］  図２Ａは図１のシステムの設定変更プロセスのフローチャートである。説明の目的で、海底ケーブルネットワーク１０５がそのリンクの一つにケーブル切断を経験すると仮定する。この故障が発生すると、ＳＬＴＥ１０３およびＳＬＴＥ１０７はケーブル切断を検出する。ＳＬＴＥ１０３および１０７の各々は、警報データを生成し、対応するスイッチシステム１０１および１０９に通知する。故障検出のプロセスは、「全光通信システムにおける故障検出および報告のための方法と装置」というタイトルの、米国特許第５，９１４，７９４号（フィーら）においてより十分詳述され、ここにそっくり組み込まれる。バイナリーインターフェイス１１１と１１３は、ステップ２０１のように、ＳＬＴＥ１０３および１０７から警報データを取り除く。しかしながら、バイナリーインターフェイス１１１と１１３（あるいはＳＴＭ−Ｎインターフェイス１１２と１１４）が警報データを取り除くことが出来なければ、スイッチシステム１０１はそれからＮＭインターフェイス１１５を介して警報データをＮＭＳ１１７へ転送する。同様に、スイッチシステム１０９はＮＭインターフェイス１２３を介して、警報データをＮＭＳ１２５へ送信する。ステップ２０３で、ＮＭＳ１１７および１２５の各々は、スイッチシステム１０１および１０９から受信した警報データを処理する。ＮＭＳ１１７および１２５は、論理接続ネットワーク上で検出された故障の解決策を調整する。検出された故障が確認されると（ステップ２０５によって）、スイッチシステム１０１および１０９はそれから、ステップ２０７のように、回復データベース１２７および１３１からそれぞれ適切な回復計画を検索する。その後、スイッチシステム１０１および１０９は、ステップ２０９で、予めプログラムされた回復計画を実行する。
【００３０】
［３４］  図２Ｂは海底ケーブルネットワーク上のプロビジョニングサービスのプロセスのフローチャートを示す。ステップ２２１で、ＮＭＳ１１７は上で述べたように、運用支援システムからプロビジョニングデータを受信する。次に、受信したプロビジョニングデータは、ステップ２２３でのように、スイッチシステム１０１に指示するように、ＮＭＳ１１７によって処理される。スイッチシステム１０１は、海底ケーブルネットワーク１０５上でトラフィックを転送するために適切に、スイッチテーブルを更新する。
【００３１】
［３５］  図３は図２Ａおよび２Ｂの設定変更プロセスを実行できるコンピュータシステムの図である。コンピュータシステム３０１は、バス３０３あるいは情報を通信するための他の通信機構、および情報を処理するためにバス３０３に接続されたプロセッサ３０５を含む。コンピュータシステム３０１は、プロセッサ３０５によって実行される情報および命令を格納するためにバス３０３に接続されている、ランダムアクセスメモリ（ＲＡＭ）あるいは他の動的格納装置のようなメインメモリ３０７も含む。さらに、メインメモリ３０７は、プロセッサ３０５によって実行される命令の実行の間、一時変数あるいは他の中間情報を格納するために使用されてもよい。コンピュータシステム３０１はさらに、プロセッサ３０５のための静的情報および命令を格納するために、バス３０３に接続されたリードオンリメモリ（ＲＯＭ）３０９、または他の静的格納装置を含む。磁気ディスクあるいは光ディスクのような格納装置３１１は、情報および命令を格納するために提供されかつバス３０３に接続されている。
【００３２】
［３６］  コンピュータシステム３０１は、コンピュータのユーザに情報を表示するために、ブラウン管（ＣＲＴ）のようなディスプレイ３１３に、バス３０３を介して接続されてもよい。入力装置３１５は、英数字および他のキーを含み、プロセッサ３０５に対する情報およびコマンドの選択を通信するために、バス３０３に接続される。ユーザ入力装置の他のタイプは、マウス、トラックボール、あるいはプロセッサ３０５に対する指示情報およびコマンド選択を通信するため、およびディスプレイ３１３上でカーソルの動きを制御するためのカーソル指示キーのようなカーソル制御３１７である。
【００３３】
［３７］  ある実施例に従って、設定変更プロセスは、メインメモリ３０７に含まれる一以上に連続する一以上の命令を実行するプロセッサ３０５に応答して、コンピュータシステム３０１によって提供される。そのような命令は、格納装置３１１のような他のコンピュータ読み出し可能媒体からメインメモリ３０７に読まれてもよい。メインメモリ３０７に含まれる連続する命令を実行すると、プロセッサ３０５はここに記載された処理ステップを実行する。多重処理調整における一以上のプロセッサは、メインメモリ３０７に含まれる、連続する命令を実行するためにも使用されてもよい。代わりの実施例において、ハードワイヤの回路構成は、ソフトウエアの命令の代わりに、あるいは組み合わせて使用されてもよい。従って、実施例はハードウエアの回路構成およびソフトウエアの任意の特定の組み合わせに限定されない。
【００３４】
［３８］  さらに、回復計画およびプロビジョニングに関する命令は、コンピュータ読み出し可能媒体上に常駐してもよい。ここで使用されるように、用語「コンピュータ読み出し可能媒体」は、実行のためにプロセッサ３０５に命令を提供することに関与するあらゆる媒体のことを言う。そのような媒体は、不揮発性媒体、揮発性媒体および伝送媒体を含むがそれに限定されない、多くの様式を採ってもよい。不揮発性媒体は、例えば、格納装置３１１のような、磁気あるいは光ディスクを含む。揮発性媒体はメインメモリ３０７のような動的メモリを含む。伝送媒体は、バス３０３を含むワイヤを含む、同軸ケーブル、銅のワイヤおよび光ファイバを含む。伝送媒体は、電波および赤外線データ通信の間に生成されるような、アコースティックあるいは光の波の様式も採ることができる。
【００３５】
［３９］  コンピュータ読み出し可能媒体の一般の様式は、例えば、フロッピーディスク、フレキシブルディスク、ハードディスク、磁気テープ、あるいは他のあらゆる磁気媒体、ＣＤ−ＲＯＭ、他のあらゆる光媒体、パンチカード、紙テープ、穴のパターンを有する他のあらゆる物理的媒体、ＲＡＭ、ＰＲＯＭ、およびＥＰＲＯＭ、ＦＬＡＳＨ−ＥＰＲＯＭ、他のあらゆるメモリチップ、あるいはカートリッジ、以下に記載されるような搬送波、あるいはコンピュータが読み出し可能な他のあらゆる媒体を含む。
【００３６】
［４０］  コンピュータ読み出し可能媒体の各種様式は、実行のためにプロセッサ３０５に対する一以上の連続する一以上の命令を搬送することに関係してもよい。例えば、命令はリモートコンピュータの磁気ディスク上に最初に保持されてもよい。リモートコンピュータは、ネットワーク回復に関する命令を遠隔からその動的メモリに書き込み、モデムを使用して電話線上に命令を送信できる。コンピュータシステム３０１の局地のモデムは、電話線を介してデータを受信し、データを赤外線信号に変換するために赤外線送信器を使用できる。バス３０３に接続された赤外線検出器は、赤外線信号に運ばれるデータを受信し、バス３０３上にデータを置くことができる。バス３０３はメインメモリ３０７にデータを伝搬し、そこからプロセッサ３０５は命令を検索し実行する。メインメモリ３０７によって受信された命令は、プロセッサ３０５による実行の前か後のいずれかで、格納装置３１１に選択的に格納されてもよい。
【００３７】
［４１］  コンピュータシステム３０１は、バス３０３に接続された通信インターフェイス３１９も含む。通信インターフェイス３１９は、ローカルネットワーク３２３に接続されるネットワークリンク３２１に接続している、双方向のデータ通信を提供する。例えば、通信インターフェイス３１９は、任意のパケット交換ローカルエリアネットワーク（ＬＡＮ）に付随するネットワークインターフェイスのカードであってもよい。別の例として、通信インターフェイス３１９は、非対称デジタル加入線（ＡＤＳＬ）カード、総合サービスデジタル通信（ＩＳＤＮ）カード、あるいは電話線の対応するタイプにデータ通信接続を提供するモデムであってもよい。ワイヤレスのリンクもまた実行されてもよい。あらゆるそのような実行において、通信インターフェイス３１９は、様々なタイプの情報を表すデジタルのデータストリームを伝搬する、電気、電磁気および／また光信号を送信しかつ受信する。
【００３８】
［４２］  ネットワークリンク３２１は一以上のネットワークを介して、他のデータ装置にデータ通信を典型的に提供する。例えば、ネットワークリンク３２１はローカルネットワーク３２３を介して、ホストコンピュータ３２５、あるいはサービスプロバイダによって操作されるデータ装置に接続を提供してもよく、サービスプロバイダはＩＰ（インターネットプロトコル）ネットワーク３２７（例えばインターネット）を介して、データ通信サービスを提供する。ＬＡＮ３２３およびＩＰネットワーク３２７は両方、デジタルのデータストリームを搬送する、電気、電磁気あるいは光信号を使用する。各種ネットワークを介した信号、およびネットワークリンク３２１上の、かつ通信インターフェイス３１９を介した信号は、コンピュータシステム３０１へおよびからデジタルのデータを搬送し、情報を送信する搬送波の模範的な様式である。コンピュータシステム３０１は、ネットワーク、ネットワークリンク３２１および通信インターフェイス３１９を介して、プログラムコードを含んで、通知を送信し、データを受信できる。
【００３９】
［４３］  ここに記載された技術は、海底ケーブルネットワークの管理について先のアプローチに対して、幾つかの利点を提供する。ネットワーク管理モジュールは、回線終端装置から警報信号を受信し、受信した警報信号に基づいて海底ケーブルネットワークを設定変更することができる。ネットワーク管理モジュールはまた、プロビジョニングサービスに対応するために、海底ネットワークの設定変更を開始してもよい。この処理は、サービスプロバイダが顧客にサービス品質保証制度を満足させるのを有利に許可する。
【００４０】
［４４］  自明ではあるが、この発明の多数の修正および変形が、上の教示の見地から可能である。従って、添付のクレームの範囲内で、発明は、ここに特定に記載されたのとは違った状態でも実行されてもよいことが理解される。
【図面の簡単な説明】
【００４１】
［１４］  この発明のより完全な評価、およびそれについての付随の利点の多くは、添付の図面と関連して考慮されるとき、以下の詳細な説明を参照することでよりよく理解されるように、容易に得られる。
【００４２】
［１５］
【図１Ａ−１Ｂ】この発明の実施例に従う、通常および回復する操作状態の下で、それぞれネットワークの設定変更を実行できるプログラム可能な海底ネットワークの図である。
【００４３】
［１６］
【図２Ａ−２Ｂ】ネットワーク回復およびサービスのプロビジョニングに対して、それぞれ図１のシステムの設定変更のプロセスのフローチャートである。
【００４４】
［１７］
【図３】図２Ａおよび２Ｂの設定変更プロセスを実行できるコンピュータシステムの図である。
【００４５】
［１８］
【図４】二つの大陸間で光リンクを使用する従来の海底ネットワークの図である。
【図１Ａ】
2005502234.tif 000003
【図１Ｂ】
2005502234.tif 000004
【図２Ａ】
2005502234.tif 000005
【図２Ｂ】
2005502234.tif 000006
【図３】
2005502234.tif 000007
【図４】
2005502234.tif 000008
【国際公開パンフレット】
2005502234.tif 000009
2005502234.tif 000010
2005502234.tif 000011
2005502234.tif 000012
2005502234.tif 000013
2005502234.tif 000014
2005502234.tif 000015
2005502234.tif 000016
2005502234.tif 000017
2005502234.tif 000018
2005502234.tif 000019
2005502234.tif 000020
2005502234.tif 000021
2005502234.tif 000022
2005502234.tif 000023
2005502234.tif 000024
2005502234.tif 000025
2005502234.tif 000026
2005502234.tif 000027
2005502234.tif 000028
2005502234.tif 000029
2005502234.tif 000030
2005502234.tif 000031
2005502234.tif 000032
2005502234.tif 000033
2005502234.tif 000034
2005502234.tif 000035
【国際調査報告】
2005502234.tif 000036
2005502234.tif 000037